(57)【要約】【課題】可動腕と固定部とが容易に外れてしまうのを防止する竪樋控え具を提供する。【解決手段】本発明は、建物の壁面に固定される固定部１と、竪樋を抱持すると共に一端に設けられた枢支部２３を介して前記固定部１に設けられた可動腕２とを備えた竪樋控え具である。前記固定部１は、前記可動腕２の他端に設けられた係止部２２に係合し且つ係合状態で当該係止部２２の外側に位置する被係止部１３を有している。前記枢支部３及び前記被係止部１３が、竪樋の後方に位置するように設けられている。【選択図】図１
2012072556.tif 000002
【特許請求の範囲】
【請求項１】
建物の壁面に固定される固定部と、
竪樋を抱持すると共に一端に設けられた枢支部を介して前記固定部に設けられた可動腕と
を備えた竪樋控え具であって、
前記固定部は、前記可動腕の他端に設けられた係止部に係合し且つ係合状態で当該係止部の外側に位置する被係止部を有しており、
前記枢支部及び前記被係止部が、竪樋の後方に位置するように設けられている
ことを特徴とする竪樋控え具。
【発明の詳細な説明】
【技術分野】
【０００１】
本発明は、竪樋を壁面に沿って支持固定する竪樋控え具に関する。
【背景技術】
【０００２】
従来、竪樋を建物の壁面に沿って支持固定する竪樋控え具が知られている（例えば、特許文献１参照）。この特許文献１記載の竪樋控え具は、建物の壁面に固定される固定部（特許文献１中では基部）と、この固定部に枢支部を介して設けられた可動腕（特許文献１中では腕部）とを備えている。この可動腕は、枢支部とは反対側の端部に係止部を有しており、固定部に設けられた被係止部に対し係合するよう構成されている。
【０００３】
可動腕は、弾性を有しており、両端部間の開口幅を広げることができるようになっている。この竪樋控え具は、竪樋を設置するに際し、可動腕を外側に広げるように弾性変形させながら固定部の方向に回動させ、係止部と被係止部とを係合させる。このとき、可動腕の係止部は、係合状態で固定部の被係止部よりも外側に位置している。
【先行技術文献】
【特許文献】
【０００４】
【特許文献１】特開２００６−３４８５１１号公報
【発明の概要】
【発明が解決しようとする課題】
【０００５】
ところで上記構成の竪樋控え具は、上記のように可動腕の係止部が、係合状態で固定部の被係止部よりも外側に位置しているうえに、可動腕が弾性を有しているため、係合状態が容易に外れてしまう場合があった。つまり特許文献１の竪樋控え具は、可動腕が外側方向に撓み易くなっており、撓み易い方向と係合を解除する方向とが略同一方向となっているため、係合状態が容易に解除されてしまう場合があった。
【０００６】
本発明は上記事情に鑑みてなされたものであり、その目的とするところは、可動腕と固定部とが容易に外れてしまうのを防止する竪樋控え具を提供することにある。
【課題を解決するための手段】
【０００７】
本発明の竪樋控え具は、建物の壁面に固定される固定部と、竪樋を抱持すると共に一端に設けられた枢支部を介して前記固定部に設けられた可動腕とを備えた竪樋控え具であって、前記固定部は、前記可動腕の他端に設けられた係止部に係合し且つ係合状態で当該係止部の外側に位置する被係止部を有しており、前記枢支部及び前記被係止部が、竪樋の後方に位置するように設けられていることを特徴とする。
【発明の効果】
【０００８】
本発明の竪樋控え具によれば、可動腕と固定部とが容易に外れてしまうのを防止することができる。
【図面の簡単な説明】
【０００９】
【図１】本発明の一実施形態の斜視図である。
【図２】同上の実施形態の斜視図である。
【図３】同上の実施形態の平面図である。
【図４】従来の竪樋控え具を説明するための図であり（ａ）は斜視図であり（ｂ）は平面図である。
【発明を実施するための形態】
【００１０】
以下、本発明の実施形態について添付図面に基づいて説明する。なお説明の便宜上、竪樋控え具を壁面に取り付けた状態に基づいて、壁面側を後方とし、可動腕２側を前方と定義する。
【００１１】
本実施形態の竪樋控え具は、建物の壁面に固設され、断面略矩形状の竪樋を固定するためのものである。この竪樋控え具は、図１〜３に示されるように、壁面に固設される固定部１と、この固定部１に回動自在に設けられた可動腕２とを備えている。
【００１２】
固定部１は、建物の外壁面に直接又は支持具を介して固定される部分である。本実施形態の固定部１は、平面視略矩形状をしており、合成樹脂により構成されている。固定部１は、竪樋の幅方向の長さに対し、略同じ幅か又はそれよりも短い幅となるよう形成されており、竪樋を設置すると、当該竪樋によってその前面が略全て覆われるようになっている。固定部１は、その中央部に固定用の挿通孔１１が穿設されており、この挿通孔１１に、ねじ等の固着具を挿通することで外壁面に直接設置されたり、また支持具の一端を挿通することで外壁面に所定の距離を介して設置されたりする。固定部１は、左右両端のうちのいずれか一方に軸受部１２を有しており、他方に可動腕２の係止部２２を係止固定するための被係止部１３を有している。
【００１３】
軸受部１２は、垂直方向の軸を受けるよう構成されており、軸部２１を内部に入れるための開口部１４が前方に臨んでいる。この開口部１４は、竪樋を設置した状態で、当該竪樋に対向するようになっており、外部からは目立たないようになっている。軸受部１２の外周面は、腕部がスムーズに回動できるように、半円弧状の摺動面１５となっている。
【００１４】
被係止部１３は、図２，３に示されるように、内側に突出する引掛け突起１６により構成されている。固定部１は、図３に示されるように、この引掛け突起１６よりも中央側に、可動腕２の係止部２２を挿入するための挿入孔部１７を有している。固定部１は、図１，２に示されるように、被係止部１３の裏側に、固定部１と可動腕２との係合状態を解除するため、この挿入孔部１７と連通する解除用窓１８を有している。これにより、ユーザーは、被係止部１３に係止された可動腕２の係止部２２の先端を、解除用窓１８から内側に押し込むことで、前記係合状態を解除することができる。
【００１５】
可動腕２は、竪樋を抱持して固定するためのものである。本実施形態の可動腕２は、合成樹脂により構成されると共に、矩形枠の四辺のうちの一辺が開放した形状となっており、その両端間を弾性変形させながら広げることができる。可動腕２は、周方向の一方の端部に、固定部１の軸受部１２に軸支される軸部２１を有しており、他方の端部に係止部２２を有している。なお本実施形態の竪樋控え具は、この軸部２１と前記軸受部１２によって枢支部３が構成されている。
【００１６】
可動腕２の係止部２２は、図１に示されるように、可動腕２の一端から固定部１側に向けて突出した係止突部２３と、この係止突部２３の先端から側方に向けて突出した係止爪２４とを有している。この係止爪２４が、被係止部１３の引掛け突起１６に係合するようになっている。また係止部２２は、係止突部２３の基部に、被係止部１３を外方から覆うための覆い片２５を有している。
【００１７】
このような構成の竪樋控え具は、可動腕２を固定部１側に回動させると、係止部２２の先端の係止爪２４が、固定部１の挿通孔部１７に挿通され被係止部１３に当接する。この状態からさらに回動させると、係止突部２３が内方に弾性変形し、係止爪２４が引掛け突起１６を乗り越える。そして、係止突部２３が元の状態に復元することで、係止爪２４と引掛け突起１６とが係合する。このとき、覆い片２５が被係止部１３の外方に位置しているため、係止爪２４の中央側への移動が規制され、また可動腕２と固定部１との係止部分の隙間が覆われて外観上目立たないようになっている。
【００１８】
この竪樋控え具に竪樋を設置するには、次のように施工する。まず、外壁面の所定の位置に、竪樋控え具を配置し、固定部１を固定する。次いで固定部１の前方に竪樋を配置し、係止部２２を外方に広げながら可動腕２を固定部１側に回動させ、係止部２２を固定部１の被係止部１３に係合させる。
【００１９】
本実施形態の竪樋控え具は、この係合状態において、可動腕２が外側に向けて力を受けたとしても、係止部２２の外側に被係止部１３が位置しているから、係合状態が解除されにくいものとなる。また可動腕２が内側に向けて荷重を受けたとしても、当該可動腕２の内側に竪樋が位置すると共に、被係止部１３の外側に覆い片２５が位置しているから、係合状態が解除されにくい。
【００２０】
しかも本実施形態の竪樋控え具は、係合状態で、可動腕２が固定部１と離れる方向に回動した場合であっても、係止部２２が、竪樋により可動腕２の外方に押し出され、被係止部１３に押し付けられるため、より強固に係止されて簡単には係合状態が解除されない。
【００２１】
ところで、従来の竪樋控え具は、図４に示されるように、枢支部５２が竪樋の側方に位置するうえに、軸部５４を軸受部５５内に入れるための開口部５０が外方に臨んでおり、そのうえ可動腕５３を回動させるための摘み部５１が、側方に突出している。そのため、これら各連結部が目立ってしまい、外観上見苦しいものとなっていた。
【００２２】
しかし本実施形態の竪樋控え具は、枢支部３及び前記被係止部１３が、竪樋の後方に位置するように設けられており、少なくとも正面から見た場合には竪樋によって覆われるから、連結部分を目立たないものとすることができる。しかも、軸受部１２の開口部１４が、竪樋に面するように開口しているため、この部分においても外観上目立たない工夫がなされている。これらの工夫により、本実施形態の竪樋控え具を建物の壁面に取り付けた場合には、すっきりとした建物の外観にさせることができる。
【００２３】
なお本実施形態の竪樋控え具は、断面矩形状の竪樋を支持するものであったが、本発明の竪樋控え具は、可動腕に断面円形状のものを用いることで、円筒状の竪樋を支持することもできる。この場合、固定部の幅方向の長さは、竪樋の直径と略同じか又はそれよりも小さくなるよう構成されていればよい。
【００２４】
また本実施形態の竪樋控え具は、合成樹脂により形成されていたが、本発明の竪樋控え具は、薄い金属製のものであってもよく、材質は特に限定されるものではない。
【００２５】
また本実施形態の竪樋控え具は、係止部２２の内方側への移動規制手段の一つとして、覆い片２５が設けられていたが、施工後には竪樋によってもその移動が規制されるため、本発明の竪樋控え具において覆い片は、必ずしも必要な構成ではない。
【符号の説明】
【００２６】
１      固定部
１１    挿通孔
１２    軸受部
１３    被係止部
１４    開口部
１５    摺動面
１６    引掛け突起
１７    挿入孔部
１８    解除用窓
２      可動腕
２１    軸部
２２    係止部
２３    係止突部
２４    係止爪
２５    覆い片
３      枢支部
【図１】
2012072556.tif 000003
【図２】
2012072556.tif 000004
【図３】
2012072556.tif 000005
【図４】
2012072556.tif 000006